(57)【要約】【課題】  荷物の運送中の温度品質を、低コストで効率よく客観的に保証できるような運送温度品質証明方法とそのシステムを提供し、保証の要求者の満足度を向上する。【解決手段】  運送温度品質証明システムとして、温度を測定する温度測定手段と、データを無線で送信する無線送信手段と、上記温度測定手段による温度測定を実行させると共に取得した温度を測定データとして上記無線送信手段で証明サーバに送信制御する送信側制御手段とを、運送業者の運送手段に取り付けさせ、上記証明サーバに、上記測定データを受信する受信手段と、該測定データに基づく証明データを出力許容する出力手段とを備えた。【選択図】    図２
2005075595.tif 000002
【特許請求の範囲】
【請求項１】
温度を測定する温度測定手段と、
データを無線で送信する無線送信手段と、
上記温度測定手段による温度測定を実行させると共に取得した温度を測定データとして上記無線送信手段で証明サーバに送信制御する送信側制御手段とを、運送業者の運送手段に取り付けさせ、
上記証明サーバに、
上記測定データを受信する受信手段と、
該測定データに基づく証明データを出力許容する出力手段とを備えた
運送温度品質証明システム。
【請求項２】
時刻を計時する計時手段とデータを記憶する記憶手段とを前記運送手段に取り付けさせ、
前記送信側制御手段に、前記測定データに上記計時手段で取得した測定時刻を含めて上記記憶手段に荷物単位で記憶する測定データ記憶処理と、
配達先への荷物到着に基づいて上記測定データの荷物単位での送信を実行する荷物単位送信処理を設定した
請求項１記載の運送温度品質証明システム。
【請求項３】
前記出力手段を、前記証明データを希望する荷主及び受取人に電子メールで送信する電子メール送信手段で構成した
請求項１又は２記載の運送温度品質証明システム。
【請求項４】
前記温度測定手段を、温度管理対象貨物の代役である測定標準体の温度を接触して測定する標準体温度センサで形成した
請求項１、２又は３記載の運送温度品質証明システム。
【請求項５】
前記温度測定手段を、温度管理対象貨物の温度を非接触で測定する非接触温度センサで形成した
請求項１、２又は３記載の運送温度品質証明システム。
【請求項６】
請求項１から５のいずれか１つに記載の運送温度品質証明システムを使用し、荷物の運送中の温度品質を証明する
運送温度品質証明方法。
【発明の詳細な説明】
【技術分野】
【０００１】
この発明は、例えばトラック等の運送手段での荷物の運送中の温度品質を保証するような運送温度品質証明方法とそのシステムに関する。
【背景技術】
【０００２】
従来、運送中の荷物の温度品質を保証する方法としては、温度センサと不揮発性メモリを備えた小型のデータキャリアを荷物に取り付け、上記温度センサで測定した温度を上記不揮発性メモリに蓄積する物流過程の品質保証方法が提案されている（特許文献１参照）。
【０００３】
上記物流過程の品質保証方法では、荷主側で荷物にデータキャリアを取り付け、受取人側で荷物からデータキャリアを取り外して回収している。回収したデータキャリアは、検査、修理等を行った後に再度荷主側へ支給され、繰り返して使用されている。
【０００４】
また他にも、車両運行管理装置を使用し、温度の測定と該測定温度の記録とを行うカードロガーを荷物に取り付けて運送し、運送後に回収したカードロガーからデータを取得して帳票を作成する方法が提案されている（特許文献２参照）。
【０００５】
この方法では、運送業者が荷物へのカードロガーの取り付けと回収、温度情報に基づく帳票作成を行っている。
【０００６】
【特許文献１】特開２０００−３０２２１１号公報
【特許文献２】特開平１０−３０２１８９号公報
【発明の開示】
【発明が解決しようとする課題】
【０００７】
しかし、上述の物流過程の品質保証方法では、データキャリアの回収と再支給に運送費がかかると共に、データキャリアの検査、修理という作業費がかかるため、品質保証にかかる経費が大きいという問題があった。  
特に、１の荷送人から複数の受取人に運送するような場合には、データキャリアの回収が大変であり、荷送人と受取人が固定でない運送には適していなかった。
【０００８】
また、上述の車両運行管理装置を使用した方法では、運送業者自身が温度測定と帳票出力を行っているため、運送業者が本当に品質管理を正しく行ったか否かを客観的に証明することはできなかった。特に受取人は、荷主が質のよい運送業者を利用していることを信用するしかなかった。
【０００９】
すなわち、図７の説明図に示すように、荷主は運送業者に運送依頼を行い、運送業者から運送記録と品質記録を受け取る。受取人は、荷主に対して品質記録を要求することとなり、荷主から品質記録を受け取る。このため、荷主又は運送業者が品質記録を改竄することが可能であり、荷主と運送業者のいずれかを信用できなければ、全ての信用が崩れる問題があった。
【００１０】
この発明は上述の問題に鑑み、荷物の運送中の温度品質を、低コストで効率よく客観的に保証できるような運送温度品質証明方法とそのシステムを提供し、保証の要求者の満足度を向上することを目的とする。
【課題を解決するための手段】
【００１１】
この発明は、温度を測定する温度測定手段と、データを無線で送信する無線送信手段と、上記温度測定手段による温度測定を実行させると共に取得した温度を測定データとして上記無線送信手段で証明サーバに送信制御する送信側制御手段とを、運送業者の運送手段に取り付けさせ、上記証明サーバに、上記測定データを受信する受信手段と、該測定データに基づく証明データを出力許容する出力手段とを備えた運送温度品質証明システムであることを特徴とする。
【００１２】
前記温度測定手段は、非接触で荷物の温度を測定するサーモセンサ等の非接触温度センサ、荷物の代役である測定標準体に取り付けて温度を測定する測定標準体温度センサ、又は、運送手段の庫内温度を測定する庫内温度センサ等、温度を測定する装置で構成することを含む。
【００１３】
前記無線送信手段は、携帯電話等の無線通信端末、又は、無線ＬＡＮに接続する無線ＬＡＮカード等の無線通信装置等、無線でデータ送信を行う装置で構成することを含む。
【００１４】
前記測定データは、温度データで構成する、あるいは該温度データに、測定対象の荷物を示す荷物識別データ、又は／及び温度の測定時刻（測定日時）を示す測定時刻データ（測定日時データ）を加えて構成することを含む。
【００１５】
前記送信側制御手段は、ＣＰＵ又はＭＰＵ等、制御処理を実行する装置で構成することを含む。
【００１６】
前記運送業者は、トラックで荷物を運送するトラック運送業者や、電車で荷物を運送する電車運送業者等の車両運送業者、又は飛行機やヘリコプター等の航空機で荷物を運送する航空機運送業者、若しくは船舶で荷物を運送する船舶運送業者等の業者で構成することを含む。なお、該運送業者は、一般に利用頻度が高いトラック運送業者で構成することが望ましい。
【００１７】
前記運送手段は、トラックや電車等の運送車両、飛行機やヘリコプター等の航空機、船舶、又はこれらの複数で構成することを含む。
【００１８】
前記証明サーバは、パーソナルコンピュータやワークステーション等、サーバ装置として使用可能なコンピュータで構成することを含む。
【００１９】
前記受信手段は、インターネット等のネットワークを介してデータを受信するＬＡＮボード等の通信装置で構成することを含む。
【００２０】
前記証明データは、運送に関して測定した温度データ、該温度データと共に温度が規定範囲内（若しくは品質保証範囲内）に収まっているか否かを明示する範囲明示データ、又は、上記温度データの温度が要求される温度範囲内に収まったか否かの結果を示す結果データ等、運送の温度品質を保証するデータで構成することを含む。
【００２１】
前記出力手段は、前記証明データを送信するＬＡＮボード等の通信装置、前記証明データを表示するディスプレイ等の表示装置、又は、前記証明データを印刷するプリンタ等の印刷装置等、証明データを出力する装置で構成することを含む。
【００２２】
前記構成により、運送の温度品質が証明サーバに送信されることとなり、温度品質を証明サーバで客観的に証明することができる。
【００２３】
この発明の態様として、時刻を計時する計時手段とデータを記憶する記憶手段とを前記運送手段に取り付けさせ、前記送信側制御手段に、前記測定データに上記計時手段で取得した測定時刻を含めて上記記憶手段に荷物単位で記憶する測定データ記憶処理と、配達先への荷物到着に基づいて上記測定データの荷物単位での送信を実行する荷物単位送信処理を設定することができる。
【００２４】
前記計時手段は、時刻を刻むタイマ等、時刻を取得可能な装置で構成することを含む。  
前記記憶手段は、不揮発性メモリやハードディスク等、データを記憶する装置で構成することを含む。
【００２５】
前記構成により、証明サーバが荷物単位で証明データを処理することができ、データ処理の簡易化を図ることができる。また、無線送信手段からの測定データの送信回数を減少し、回線の混雑を緩和することができる。
【００２６】
またこの発明の態様として、前記出力手段を、前記証明データを希望する荷主及び受取人に電子メールで送信する電子メール送信手段で構成することができる。  
前記電子メール送信手段は、ＬＡＮボード等の通信装置と該通信装置を介して電子メールの送信を行う電子メール送信プログラムで構成する等、電子メールを送信可能な装置で構成することを含む。
【００２７】
前記構成により、証明サーバは証明データを迅速に必要な者に送信することができる。
【００２８】
またこの発明の態様として、前記温度測定手段を、温度管理対象貨物の代役である測定標準体の温度を接触して測定する標準体温度センサで形成することができる。
【００２９】
前記測定標準体は、樹脂素材、又は防水加工若しくは撥水加工した紙素材等、荷物梱包部材と同一若しくは類似の部材で表面を構成した表面加工素材で構成することを含む。
【００３０】
前記標準体温度センサは、上記測定標準体に取り付け可能で該測定標準体の温度を直接測定する接触温度センサ等、前記測定標準体の温度を測定する温度センサで構成することを含む。
【００３１】
前記構成により、荷物の形状が不定形で測定装置を取り付けできない場合であっても、測定標準体に取り付けて荷物に近似する温度を取得することができる。また、荷物に対して温度センサを着脱する必要がないため、荷物の積み降ろし作業を迅速にでき、積み降ろしのために扉を開放する時間を短縮して庫内温度の急激な上下を減少することができる。
【００３２】
またこの発明の態様として、前記温度測定手段を、温度管理対象貨物の温度を非接触で測定する非接触温度センサで形成することができる。
【００３３】
前記非接触温度センサは、サーモセンサ等、非接触で荷物の温度を測定するセンサで構成することを含む。
【００３４】
前記構成により、荷物の形状が不定形で測定装置を取り付けできない場合であっても、庫内の所定部に固定した非接触温度センサで荷物の温度を測定することができる。また、荷物に対して温度センサを着脱する必要がないため、荷物の積み降ろし作業を迅速にでき、積み降ろしのために扉を開放する時間を短縮して庫内温度の急激な上下を減少することができる。
【００３５】
またこの発明は、前記運送温度品質証明システムを使用し、荷物の運送中の温度品質を証明する運送温度品質証明方法とすることができる。  
これにより、運送の温度品質を照明することができる。
【発明の効果】
【００３６】
この発明により、運送の温度品質が証明サーバに送信されることとなり、温度品質を証明サーバで客観的に証明することができる。
【発明を実施するための最良の形態】
【００３７】
この発明の一実施形態を以下図面と共に説明する。  
まず、図１に示すシステム構成説明図、及び図２に示すブロック図と共に、運送温度品質証明システム１のシステム構成について説明する。
【００３８】
運送温度品質証明システム１は、運送車両１０に搭載した運送車両用装置、受取人端末２０、荷主端末３０、及び証明サーバ４０をインターネット１９に接続して構成する。
【００３９】
前記運送車両用装置は、運送車両１０の荷物積載庫の庫内に備えた冷房送風装置１２、温度測定標準体１４、及び荷物１７と、運転席に備えた運行記録計１１で構成する。
【００４０】
上記冷房送風装置１２は、庫内を冷房すると共に空気の循環を行う。これにより、庫内に冷たい空気を循環させ、庫内全体の温度が場所によって異ならないように均一に保つ。
【００４１】
上記温度測定標準体１４は、ボックス状の部材の外周をダンボール素材で囲繞して該ダンボール素材を防水加工した標準体１４ａに温度センサ１４ｂを取り付けて形成する。
【００４２】
該温度センサ１４ｂには、動作制御を行う制御装置１４ｃを備えており、該制御装置１４ｃの制御によって定期的（例えば１０分毎）に上記標準体１４ａの温度を測定し、測定した温度を接続ケーブル１４ｃを介して送信する。
【００４３】
また、温度センサ１４ｂには光信号を受信する信号受信装置１４ｄも備えており、運送業者の配達人Ｍからハンディ送信機１８によって赤外線等の光で測定指示信号を受信すると、制御装置１１ｆは前述の定期的な測定に追加して積み込み時や荷降ろし時等の不定期な測定を実行する。
【００４４】
なお、上記標準体１４ａは、樹脂部材等で形成してもよく、少なくとも表面の温度変化が運送する荷物と近い部材で形成形成することが望ましい。
【００４５】
前記荷物１７は、荷主から荷送人へ運送する物品であり、ダンボール箱に収納された物品、発泡スチロール箱に収納された物品、袋詰状態で冷凍された物品等が存在する。該物品としては、肉、魚、野菜、等の生鮮食品や、アイスクリーム等の冷凍菓子等、一定温度を保つ必要がある物品が搭載される。
【００４６】
ここで、前記荷物積載庫は、冷凍庫の役割をする冷凍部と、冷蔵庫の役割をする冷蔵部と２つの積載スペースを備えており、各積載スペースで異なる温度を設定している。
【００４７】
前記運行記録計１１は、オプションとして装着可能な伝送処理部１１ａを装着しており、該伝送処理部１１ａに接続した携帯電話（通信機）１６でインターネット１９に接続している。
【００４８】
該運行記録計１１は、積み込んだ荷物の伝票番号や降ろして配達した荷物の伝票番号等を入力する入力装置１１ｂ、データを記憶する記憶装置１１ｃ、前記伝送処理部１１ａや温度センサ１４ｂ等の機器を接続する接続用インタフェース１１ｄ、時刻を計時するタイマ等の計時装置１１ｅ、及びこれらを制御する制御装置１１ｆで構成する。
【００４９】
該制御装置１１ｆは、前記温度センサ１４ｂから測定した温度を受信し、該温度を測定時刻（温度を受信した時刻）と共に上記記憶装置１１ｃに記憶する処理を実行する。また、上記温度と測定時刻等で構成する証明データを、携帯電話１６でインターネット１９越しに証明サーバ４０へ送信する処理も実行する。
【００５０】
前記受取人端末２０は、荷物を受け取る受取人が使用する端末コンピュータであり、通信装置としての携帯電話２１を備えている。
【００５１】
前記荷主端末３０は、荷物を発送する荷主が使用する端末コンピュータであり、通信手段であるルータ（図示省略）を備えている。
【００５２】
前記証明サーバ４０は、荷主、受取人（荷受人）、及び運送業者に関連がなく、運送温度の品質を証明する独立した専門の第三者機関である管理センタ（温度品質証明機関）に設置するサーバコンピュータであり、通信手段であるルータ（図示省略）を備えている。
【００５３】
なお、前記受取人端末２０、荷主端末３０、及び証明サーバ４０は、いずれも、ＣＰＵとＲＯＭとＲＡＭで形成する制御装置、キーボードとポインティングデバイスで形成する入力装置、液晶ディスプレイで形成する表示装置、ハードディスクで形成する記憶装置、記録媒体としてのＣＤ−ＲＯＭを読み取るＣＤ−ＲＯＭドライブで形成する記録媒体読取装置、及び、記録媒体としてのフレキシブルディスクを読み取るＦＤドライブで形成する記録媒体読書装置で構成する。
【００５４】
また、前記証明サーバ４０の記憶装置には、運行記録計データＤＢ（データベース）４１、荷物管理データＤＢ４２、受取人管理データＤＢ４３、及び荷主管理データＤＢ４４を格納している。
【００５５】
前記運行記録計データＤＢ４１は、図３の（Ａ）のデータ説明図に示すように、伝票番号、荷主コード、荷主アドレス（荷主電子メールアドレス）、受取人コード、受取人アドレス（受取人電子メールアドレス）、トラック番号（運送手段番号）、及び温度管理データで構成する運行記録計データ４１ａを格納する。なお、温度管理データは、次に説明する荷物管理データ４２ａで構成する。
【００５６】
前記荷物管理データＤＢ４２は、図３の（Ｂ）のデータ説明図に示すように、伝票番号、積込時刻、到着時刻、積込温度、到着温度、運送中温度、及び測定時刻で構成する荷物管理データ４２ａ（すなわち温度管理データ）を格納する。
【００５７】
前記受取人管理データＤＢ４３は、図４の（Ｃ）のデータ説明図に示すように、受取人コード、受取人住所、受取人電話番号（ＴＥＬ）、及び受取人アドレス（受取人電子メールアドレス）で構成する受取人管理データ４３ａを格納する。
【００５８】
前記荷主管理データＤＢ４４は、図４の（Ｄ）のデータ説明図に示すように、荷主コード、荷主住所、荷主電話番号（ＴＥＬ）、及び荷主アドレス（荷主電子メールアドレス）で構成する荷主管理データ４４ａを格納する。
【００５９】
以上の構成により、運送車両１０の温度センサ１４ｂで定期的及び不定期に測定した荷物温度を証明サーバ４０に送信し、該証明サーバ４０が管理することができる。また、証明サーバ４０が管理する荷物温度に基づく証明データを、電子メールで荷主や受取人に送信することができる。
【００６０】
次に、図５に示す処理フロー図と共に、運行記録計１１の制御装置１１ｆが実行する車両側処理と、証明サーバ４０の制御装置が実行するサーバ側処理について説明する。
【００６１】
運行記録計１１の制御装置１１ｆは、車両側温度測定送信プログラムを実行し、配達人に対して入力装置１１ｂの操作による積込通知と積み込む荷物の伝票番号の入力を許容する（ステップｎ１）。
【００６２】
制御装置１１ｆは、信号受信装置１４ｄによって配達人によるハンディ送信機１８からの測定指示信号（積込測定指示信号）を受信すると（若しくは入力装置１１ｂでの測定指示入力を受けると）、温度センサ１４ｂで積込時点（積込前）の温度を測定する（ステップｎ２）。このとき、測定した積込時温度と、制御装置１１ｆが温度センサ１４ｂから受信した時刻で構成する測定時刻と、伝票番号とを測定データとして、図３の（Ｂ）に示すように伝票番号単位で一括して記憶装置１１ｃに記憶する（ステップｎ３）。
【００６３】
制御装置１１ｆは、前記積込時温度が記憶装置１１ｃに記憶している保管管理基準値（要求温度範囲）内に収まっているか否かを判定し（ステップｎ３）、保管管理基準値を超えていた場合には、保管不良としてエラー出力（発音手段によるブザー音又は表示手段によるエラー表示）を行い、処理を終了する（ステップｎ５）。
【００６４】
上記積込時温度が保管管理基準値内に収まっていた場合には、配達人による庫内への荷物の積込が行われ、制御装置１１ｆは定期的に温度測定を行う定期測定処理を開始する（ステップｎ６）。
【００６５】
制御装置１１ｆは、上記定期測定処理を実行して、温度センサ１４ｂで測定した温度と、該温度を測定した測定時刻とを測定データとして記憶装置１１ｃに記憶する（ステップｎ７）。
【００６６】
このとき、運行記録計１１の記憶装置１１ｃには温度管理データを伝票番号単位で記録しているため、積み込んでいる全荷物の伝票番号のデータに対して運送中温度と測定時刻をそれぞれ追加記録していく。
【００６７】
制御装置１１ｆは、上記定期測定処理の実行を配達地に到着するまで一定時間の間隔で繰り返す（ステップｎ８）。
【００６８】
配達地である受取人の住所に到着すると、入力装置１１ｂで到着通知と到着した荷物の伝票番号との配達人による入力を受け付け（ステップｎ９）、到着時点での到着時温度を測定する（ステップｎ１０）。
【００６９】
該到着時温度は、測定時刻（到着時刻）と共に、図３の（Ｂ）に示すように該当する伝票番号のレコード（行）に記憶する（ステップｎ１１）。
【００７０】
制御装置１１ｆは、記憶装置１１ｃに記憶している温度管理データから前記ステップｎ９で入力された伝票番号のデータを抽出し、携帯電話１６を介して証明サーバ４０に運送温度データとして送信し（ステップｎ１２）、運行記録計１１の動作としては終了する。
【００７１】
証明サーバ４０の制御装置は、上記運送温度データを受信し、管理データ処理を実行する（ステップｎ１３）。該管理データ処理では、上記運送温度データを荷物管理データ４２ａとして荷物管理データＤＢ４２に追加登録する。また、該荷物管理データ４２ａを、証明サーバ４０の記憶装置内に記憶している保管管理基準値と比較する。
【００７２】
なお、上記保管管理基準値は、荷物種別毎に異なる基準値を設定しても良い。この場合、荷物種別番号と保管管理基準値で構成する保管管理基準データを保管管理基準データＤＢとして記憶装置内に格納しておくと良い。これにより、荷物の種別に対応して適切な運送温度の品質保証を行うことができる。
【００７３】
証明サーバ４０の制御装置は、上記管理データ処理での比較の結果、管理異常がある、すなわち荷物管理データ４２ａが保管管理基準値内にないと判断した場合（ステップｎ１４）、保証範囲内で運送できていなかったことを示す異常通知データを作成する（ステップｎ１５）。
【００７４】
管理異常がなかった場合には、管理帳票として保証範囲内の温度で確実に運送したことを示す正常通知データを作成する（ステップｎ１６）。
【００７５】
証明サーバ４０の制御装置は、前記異常通知データ又は前記正常通知データを荷主の電子メールアドレスと受取人の電子メールアドレスに送信し（ステップｎ１７）、処理を終了する。
【００７６】
以上の動作により、運送前後を含めて運送中の温度と測定時間による運送温度の品質保証を行うことができ、荷主と受取人は第三者機関による信頼性のある品質保証を受けることができる。
【００７７】
従来であれば荷主は運送業者を信用するしかなく、また受取人にとっては荷主が運送業者の品質を管理していることを信用するしかなかったが、第三者機関の認証サーバ４０により客観的な証明を得ることができる。
【００７８】
すなわち、図６の説明図に示すように、まず荷物については、受取人から荷主へ配達依頼がなされ、荷主が運送業者に運送依頼し、運送業者が荷物を荷主から集荷して受取人に配達する。第三者機関である管理センタ（証明センタ）は、運送業者から運送情報の登録を受けると共に運送品質記録の吸い上げを行い、運送伝票と共に運送品質証明書を電子メールにて受取人と荷主に送信する。これにより、荷物の流れとは別の流れで管理センタが品質証明を行うこととなり、運送温度の客観的な品質証明ができる。
【００７９】
また、荷物の到着時に到着温度と到着時刻が証明サーバ４０に送信されると、すぐに電子メールで荷主と受取人に正常通知又は異常通知が行われるため、荷主と受取人は、運送中の温度管理品質を迅速に知ることができる。
【００８０】
また、温度管理データを荷物単位で管理して証明サーバ４０に送信することで、データを効率よく管理することができ、回線負荷を軽減することができる。
【００８１】
このように、荷主と受取人に対して運送温度の状況を迅速かつ客観的に証明し、荷主と受取人の満足度を向上させることができる。
【００８２】
なお、前記温度管理データは、運行記録計１１の記憶装置１１ｃに暗号化して格納しても良い。この場合、証明サーバ４０を復号化可能に形成し、運行記録計１から暗号化したままのデータを証明サーバ４０に送信することが望ましい。暗号化には、共通鍵方式や秘密鍵方式等の所定の方式を使用すると良い。これにより、記憶装置１１ｃの温度管理データが不正に改竄されて保証の信頼性を損なうことを防止することができる。
【００８３】
また、温度管理データの証明サーバ４０への送信は、温度測定毎に個別に実行するように構成しても良い。この場合は、証明サーバ４０が温度管理データに受信時刻を追加して記憶することが望ましい。また、証明サーバ４０に温度パターン解析機能を設定し、送信されてくるデータが毎日同じ（完全一致）であるなど、通常発生し得ない状態（不正が行われた状態）を検知して警告する構成としてもよい。これにより、運行記録計１１が改造されて、温度異常なしと判断される温度データのみを不正に送信するようなことを防止することができる。
【００８４】
また、受取人端末２０と荷主端末３０にインターネットのホームページを閲覧可能なブラウザを搭載し、証明サーバ４０にＷＥＢサーバ機能を搭載して荷物管理データＤＢ４２の内容を荷主や受取人、場合によっては第三者が閲覧可能なように構成しても良い。
【００８５】
この場合、証明サーバ４０の通信装置は証明依頼受付手段としても機能する。受取人端末２０や荷主端末３０から証明依頼データとして証明サーバ４０の制御装置が伝票番号を受信すると、該当する荷物管理データ４２ａを抽出手段（抽出処理を実行する制御装置）で抽出して送信し、前記ブラウザに表示させると良い。
【００８６】
この構成により、荷主や受取人や第三者は、見たいときに運送の温度品質の実態を確認することができ、利便性が向上する。
【００８７】
なお、この場合、第三者は温度管理の平均値や異常発生率等の一般的事項のみが参照でき、荷主や受取人は自社に関連する荷物管理データ４２のみ参照できるように、アクセス権を細かく設定して構成しても良い。これにより、利用者（荷主、受取人、第三者）はアクセス権に応じて証明サーバ４０のデータを参照することができるようになり、利用者に応じた情報の提供ができる。
【００８８】
また、標準体温度センサ１４ｂに変えて、図２に仮想線で示すように庫内温度センサ１３又は荷物温度センサ１５を備えても良い。
【００８９】
上記庫内温度センサ１３は、荷物を積み込んだ庫内の温度を測定するセンサで構成すると良い。  
上記荷物温度センサ１５は、庫内の所定位置に設置し、非接触で荷物の温度を測定するサーモセンサで構成すると良い。
【００９０】
このようにセンサを変えることで、運送業者の運送形態に適したセンサを使用することができ、作業効率の低下の防止を図ることができる。
【００９１】
また、定期的な温度測定と不定期な温度測定の実行は、温度センサ１４ｂに備えた制御装置１４ｃで実行したが、温度センサ１４ｂには制御装置１４ｃを備えず、運行記録計１１の制御装置１１ｆの制御に従って温度センサ１４ｂ（又は庫内温度センサ１３、若しくは荷物温度センサ１５）が温度測定を実行する構成としても良い。この場合は、信号受信装置１４ｄを運行記録計１１に備えることが望ましい。これにより、構成要素を削減してコストダウンを図ることができる。
【００９２】
この発明の構成と、上述の実施形態との対応において、
この発明の運送手段は、実施形態の運送車両１０に対応し、
以下同様に、
出力手段は、運行記録計１１の通信装置に対応し、
電子メール送信手段は、伝送処理部１１ａに対応し、
送信側制御手段は、制御装置１１ｆに対応し、
記憶手段は、記憶装置１１ｃに対応し、
測定標準体は、温度測定標準体１４に対応し、
標準体温度センサは、温度センサ１４ｂに対応し、
温度測定手段は、温度センサ１４ｂ及び荷物温度センサ１５に対応し、
無線送信手段は、接続ケーブル１４ｃに対応し、
非接触温度センサは、荷物温度センサ１５に対応し、
温度管理対象貨物は、荷物１７に対応し、
受信手段は、証明サーバ４０の通信装置に対応し、
測定データ記憶処理は、ステップｎ３，ｎ７，ｎ１１に対応し、
荷物単位送信処理は、ステップｎ１２に対応するも、
この発明は、上述の実施形態の構成のみに限定されるものではなく、多くの実施の形態を得ることができる。
【図面の簡単な説明】
【００９３】
【図１】運送温度品質証明システムのシステム構成説明図。
【図２】運送温度品質証明システムのブロック図。
【図３】運行記録計データと荷物管理データの説明図。
【図４】受取人管理データと荷主管理データの説明図。
【図５】運行記録計の車両側処理と証明サーバのサーバ側処理の処理フロー図。
【図６】荷物の流れと品質記録の流れを示す説明図。
【図７】従来の荷物の流れと品質記録の流れを示す説明図。
【符号の説明】
【００９４】
１…運送温度品質証明システム
１０…運送車両
１１…運行記録計
１１ａ…伝送処理部
１１ｃ…記憶装置
１１ｆ…制御装置
１４…温度測定標準体
１４ｂ…温度センサ
１４ｃ…接続ケーブル
１５…荷物温度センサ
１７…荷物
４０…証明サーバ
【図１】
2005075595.tif 000003
【図２】
2005075595.tif 000004
【図３】
2005075595.tif 000005
【図４】
2005075595.tif 000006
【図５】
2005075595.tif 000007
【図６】
2005075595.tif 000008
【図７】
2005075595.tif 000009